(57)【要約】【課題】コストの増大と装置の大型化を防ぎつつ、低音域スピーカと高音域スピーカとの位置関係に関わらず、低域から高域までの音声をバランス良く再生することができる音声再生装置、調整方法及びプログラムを提供する。【解決手段】フィルタ処理部５０１は、シェルビングフィルタを用いてフィルタ処理を行い、入力した音声信号に含まれる高域の成分と低域の成分との間にレベル差を与える。アンプ部５０２は、フィルタ処理部５０１でレベル差が与えられた信号を増幅する。帯域分割回路部５０４は、アンプ部５０２で増幅された信号を高域の成分と低域の成分とに分割し、高域の成分の信号をツイータ５０５に出力するとともに、低域の成分の信号をウーファー５０６に出力する。【選択図】図１
2014053684.tif 000002
【特許請求の範囲】
【請求項１】
高域の音声を再生する第１のスピーカと、低域の音声を再生する第２のスピーカとを用いて音声を再生する音声再生装置であって、
シェルビングフィルタを用いてフィルタ処理を行い、入力した音声信号に含まれる高域の成分と低域の成分との間にレベル差を与えるフィルタ処理部と、
前記フィルタ処理部で前記レベル差が与えられた信号を増幅するアンプ部と、
前記アンプ部で増幅された信号を高域の成分と低域の成分とに分割し、前記高域の成分の信号を前記第１のスピーカに出力するとともに、前記低域の成分の信号を前記第２のスピーカに出力する帯域分割部と、
を備える音声再生装置。
【請求項２】
前記シェルビングフィルタのカットオフ周波数は、
前記帯域分割部における低域と高域の分割の基準となる周波数と同じである、
ことを特徴とする請求項１に記載の音声再生装置。
【請求項３】
前記シェルビングフィルタにおける前記レベル差を調整可能なユーザインターフェイスをさらに備える、
ことを特徴とする請求項１又は２に記載の音声再生装置。
【請求項４】
音源の方向を特定できるように音声を集音するマイクと、
前記マイクで集音された音声に基づいて、低域の成分と高域の成分の音源の位置が異なるか否かを判別し、音源の位置が異なると判別された場合に、前記フィルタ処理部によるフィルタ処理を有効とする調整部と、
をさらに備える、
ことを特徴とする請求項１に記載の音声再生装置。
【請求項５】
前記調整部は、
スイープ信号を前記音声信号として前記フィルタ処理部に入力するとともに、前記マイクで集音を行い、
前記マイクで集音される音声の音源の位置が変わった時点における前記スイープ信号の周波数を、前記シェルビングフィルタのカットオフ周波数として設定する、
ことを特徴とする請求項４に記載の音声再生装置。
【請求項６】
前記調整部は、
スイープ信号を前記音声信号として前記フィルタ処理部に入力するとともに、前記マイクで集音を行い、
前記マイクで集音される高域の成分と低域の成分とに基づいて、前記シェルビングフィルタにおける前記レベル差を調整する、
ことを特徴とする請求項４又は５に記載の音声再生装置。
【請求項７】
入力した音声信号に含まれる高域の成分と低域の成分との間にレベル差を与えるシェルビングフィルタでフィルタ処理された信号に基づく音声を、高域の音声を再生する第１のスピーカと低域の音声を再生する第２のスピーカとを用いて再生する音声再生装置の調整方法であって、
集音した音声の音源の方向を特定できるマイクで集音された音声に基づいて、低域の成分と高域の成分の音源の位置が異なるか否かを判別し、音源の位置が異なると判別された場合に、シェルビングフィルタによるフィルタ処理を有効とする第１の工程と、
スイープ信号を音声信号として前記シェルビングフィルタに入力するとともに、前記マイクで集音を行い、集音された音声の音源の位置が変わった時点における前記スイープ信号の周波数を、前記シェルビングフィルタのカットオフ周波数として設定する第２の工程と、
前記マイクで集音された高域の成分と低域の成分とに基づいて、前記シェルビングフィルタにおける前記レベル差を調整する第３の工程と、
を含む調整方法。
【請求項８】
入力した音声信号に含まれる高域の成分と低域の成分との間にレベル差を与えるシェルビングフィルタでフィルタ処理された信号に基づく音声を、高域の音声を再生する第１のスピーカと低域の音声を再生する第２のスピーカとを用いて再生する音声再生装置を制御するコンピュータに実行させるプログラムであって、
集音した音声の音源の方向を特定できるマイクで集音された音声に基づいて、低域の成分と高域の成分の音源の位置が異なるか否かを判別し、音源の位置が異なると判別された場合に、シェルビングフィルタによるフィルタ処理を有効とする第１の手順と、
スイープ信号を音声信号として前記シェルビングフィルタに入力するとともに、前記マイクで集音を行い、集音された音声の音源の位置が変わった時点における前記スイープ信号の周波数を、前記シェルビングフィルタのカットオフ周波数として設定する第２の手順と、
前記マイクで集音された高域の成分と低域の成分とに基づいて、前記シェルビングフィルタにおける前記レベル差を調整する第３の手順と、
を実行させるプログラム。
【発明の詳細な説明】
【技術分野】
【０００１】
本発明は、音声再生装置、調整方法及びプログラムに関する。
【背景技術】
【０００２】
スピーカーシステムの中には、高域の音声を再生するスピーカー（ツイータ）と、低域の音声を再生するスピーカー（ウーファー）とを備えるものがある（例えば、特許文献１参照）。このようなシステムは、２ｗａｙシステムと呼ばれている。２ｗａｙシステムでは、ＨｏｔとＣｏｌｄの２本線から成る１組のスピーカーラインが、分岐してツイータとウーファーとに接続されている。ツイータとウーファーは、スピーカーラインを伝送される音声信号に含まれる高域の音声と低域の音声とをそれぞれ再生する。
【先行技術文献】
【特許文献】
【０００３】
【特許文献１】特開２００７−６０３６７号公報
【発明の概要】
【発明が解決しようとする課題】
【０００４】
２ｗａｙシステムでは、ツイータとウーファーとは同じスピーカーボックスに入れられ、互いに近くに配置されるのが通常である。その一方で、車に２ｗａｙシステムを設置する場合には、ツイータが耳に近い位置に置かれ、ウーファーは足元に置かれることが多い。この場合、耳に近いツイータからの音声は大きく聞こえ、耳から遠いウーファーからの音声は小さく聞こえがちである。
【０００５】
上述のように、ツイータとウーファーは、１組のスピーカーラインを伝送される、同じ音声信号に基づく音声を出力するので、ツイータとウーファーとで音声の再生能力が異なる場合、能力の高い方の音声が大きくなってしまう。このようなことから、ツイータとウーファーとで、音量を個別に設定出来るようにする必要がある。
【０００６】
ツイータとウーファーとの個別の音量設定を可能にする方法には、ツイータとウーファーとのそれぞれにアンプを設ける方法（第１の方法）と、ツイータとウーファーに接続されたスピーカーケーブルに帯域分割回路を設ける方法（第２の方法）とがある。
【０００７】
図７には、第２の方法を実現するシステム（その１）の構成が示されている。図７に示すように、このシステムにおいて、オーディオ機器１０は、高域通過フィルタ（ＨＰＦ部１０１）、低域通過フィルタ（ＬＰＦ部１０２）、レベル調整処理部１０３及びアンプ部１０４を備える。ＨＰＦ部１０１によって入力された音声信号の高域の成分が取り出され、ＬＰＦ部１０２によって音声信号の低域の成分が取り出される。レベル調整処理部１０３は、低域の成分と高域の成分のそれぞれのレベルを別々に調整する。アンプ部１０４は、レベルが調整された低域の成分と高域の成分とをユーザの好みの音量に会わせて別々に増幅する。
【０００８】
増幅された高域の成分の信号は、オーディオ機器１０から出力され、ツイータスピーカーケーブル１０５を介してツイータ１０６に送られ、その成分に基づく音声がツイータ１０６で再生される。一方、増幅された低域の成分の信号は、ウーファースピーカーケーブル１０７を介してウーファー１０８に送られ、その成分に基づく音声がウーファー１０８で再生される。
【０００９】
このシステムだと、アンプが低域用と高域用とで２つ必要になり、スピーカーケーブルも低域用と高域用とで２本必要となるので、コストが増大し、装置も大きくなる。また、ツイータの再生能力が高い場合には高域の音量が大きめになり、ウーファーの再生能力が高い場合には低域の音量が大きめになってしまう。また、低域のレベルと高域のレベルとを個別に調整するのはユーザにとって煩わしい作業となる。
【００１０】
図８には、第２の方法を実現するシステム（その２）の構成が示されている。図８に示すように、オーディオ機器１０は、高域通過フィルタ（ＨＰＦ部２０１）、低域通過フィルタ（ＬＰＦ部２０２）、レベル調整処理部２０３、帯域合成処理部２０４及びアンプ部２０５を備える。入力された音声信号は、ＨＰＦ部２０１によってその高域の成分が取り出され、ＬＰＦ部２０２によってその低域の成分が取り出される。レベル調整処理部２０３は、低域のレベルと高域のレベルをそれぞれ調整する。帯域合成処理部２０４は、レベルが調整された高域の成分と低域の成分とを合成する。アンプ部２０５は、合成した信号を、ユーザの好みの音量に増幅する。
【００１１】
増幅された信号は、オーディオ機器１０から出力され、スピーカーケーブル２０６を介して帯域分割回路部２０７に入力される。帯域分割回路部２０７は、入力した信号を高域の成分の信号と低域の成分の信号とに分割し、ツイータ２０８に高域の成分の信号を送り、ウーファー２０９に低域の成分の信号を送る。
【００１２】
このシステムは、クロスオーバーネットワークのようにハイパスフィルタ（ＨＰＦ）やローパスフィルタ（ＬＰＦ）を用いて音声信号を帯域分割してレベル調整を個別に行い、帯域分割した信号を再合成する。この方法では、ＨＰＦとＬＰＦのフィルタを用い、さらに分割した信号を合成するので演算量が増大する。
【００１３】
また、ＨＰＦとＬＰＦのカットオフ周波数（ｆｃ）付近では、高域の成分と低域の成分とが重なり合ってその帯域の信号成分が、大きくなったり小さくなったりするので音のバランス調整が困難になる。
【００１４】
図９には、ＨＰＦとＬＰＦのカットオフ周波数（ｆｃ）をともに１ｋＨｚとした場合の合成信号の周波数特性が示されている。図９では、一点鎖線がＬＰＦの周波数特性を示し、点線がＨＰＦの周波数特性を示しており、太線が合成された信号の成分を示している。図９に示す例では、１ｋＨｚ付近で、信号成分が、３ｄＢ程度増幅されてしまっている。
【００１５】
図１０には、ＨＰＦのカットオフ周波数（ｆｃ）を２ｋＨｚとし、ＬＰＦのカットオフ周波数（ｆｃ）を５００Ｈｚとした場合の合成信号の周波数特性が示されている。図１０では、一点鎖線がＬＰＦの周波数特性を示し、点線がＨＰＦの周波数特性を示しており、太線が合成された信号の成分を示している。図１０に示すように、１ｋＨｚ付近で、出力特性は、約６．３ｄＢ落ち込んでいる。
【００１６】
本発明は、上記実情に鑑みてなされたものであり、低音域スピーカと高音域スピーカとの位置関係に関わらず、コストの増大と装置の大型化を防ぎつつ、低域から高域までの音声をバランス良く再生することができる音声再生装置、調整方法及びプログラムを提供することを目的とする。
【課題を解決するための手段】
【００１７】
上記目的を達成するために、本発明の第１の観点に係る音声再生装置は、
高域の音声を再生する第１のスピーカと、低域の音声を再生する第２のスピーカとを用いて音声を再生する音声再生装置であって、
シェルビングフィルタを用いてフィルタ処理を行い、入力した音声信号に含まれる高域の成分と低域の成分との間にレベル差を与えるフィルタ処理部と、
前記フィルタ処理部で前記レベル差が与えられた信号を増幅するアンプ部と、
前記アンプ部で増幅された信号を高域の成分と低域の成分とに分割し、前記高域の成分の信号を前記第１のスピーカに出力するとともに、前記低域の成分の信号を前記第２のスピーカに出力する帯域分割部と、
を備える。
【００１８】
この場合、前記シェルビングフィルタのカットオフ周波数は、
前記帯域分割部における低域と高域の分割の基準となる周波数と同じである、
こととしてもよい。
【００１９】
また、前記シェルビングフィルタにおける前記レベル差を調整可能なユーザインターフェイスをさらに備える、
こととしてもよい。
【００２０】
また、音源の方向を特定できるように音声を集音するマイクと、
前記マイクで集音された音声に基づいて、低域の成分と高域の成分の音源の位置が異なるか否かを判別し、音源の位置が異なると判別された場合に、前記フィルタ処理部によるフィルタ処理を有効とする調整部と、
をさらに備える、
こととしてもよい。
【００２１】
また、前記調整部は、
スイープ信号を前記音声信号として前記フィルタ処理部に入力するとともに、前記マイクで集音を行い、
前記マイクで集音される音声の音源の位置が変わった時点における前記スイープ信号の周波数を、前記シェルビングフィルタのカットオフ周波数として設定する、
こととしてもよい。
【００２２】
前記調整部は、
スイープ信号を前記音声信号として前記フィルタ処理部に入力するとともに、前記マイクで集音を行い、
前記マイクで集音される高域の成分と低域の成分とに基づいて、前記シェルビングフィルタにおける前記レベル差を調整する、
こととしてもよい。
【００２３】
本発明の第２の観点に係る調整方法は、
入力した音声信号に含まれる高域の成分と低域の成分との間にレベル差を与えるシェルビングフィルタでフィルタ処理された信号に基づく音声を、高域の音声を再生する第１のスピーカと低域の音声を再生する第２のスピーカとを用いて再生する音声再生装置の調整方法であって、
集音した音声の音源の方向を特定できるマイクで集音された音声に基づいて、低域の成分と高域の成分の音源の位置が異なるか否かを判別し、音源の位置が異なると判別された場合に、シェルビングフィルタによるフィルタ処理を有効とする第１の工程と、
スイープ信号を音声信号として前記シェルビングフィルタに入力するとともに、前記マイクで集音を行い、集音された音声の音源の位置が変わった時点における前記スイープ信号の周波数を、前記シェルビングフィルタのカットオフ周波数として設定する第２の工程と、
前記マイクで集音された高域の成分と低域の成分とに基づいて、前記シェルビングフィルタにおける前記レベル差を調整する第３の工程と、
を含む。
【００２４】
本発明の第３の観点に係るプログラムは、
入力した音声信号に含まれる高域の成分と低域の成分との間にレベル差を与えるシェルビングフィルタでフィルタ処理された信号に基づく音声を、高域の音声を再生する第１のスピーカと低域の音声を再生する第２のスピーカとを用いて再生する音声再生装置を制御するコンピュータに実行させるプログラムであって、
集音した音声の音源の方向を特定できるマイクで集音された音声に基づいて、低域の成分と高域の成分の音源の位置が異なるか否かを判別し、音源の位置が異なると判別された場合に、シェルビングフィルタによるフィルタ処理を有効とする第１の手順と、
スイープ信号を音声信号として前記シェルビングフィルタに入力するとともに、前記マイクで集音を行い、集音された音声の音源の位置が変わった時点における前記スイープ信号の周波数を、前記シェルビングフィルタのカットオフ周波数として設定する第２の手順と、
前記マイクで集音された高域の成分と低域の成分とに基づいて、前記シェルビングフィルタにおける前記レベル差を調整する第３の手順と、
を実行させる。
【発明の効果】
【００２５】
本発明によれば、第１のスピーカで再生する高域の成分と、第２のスピーカで再生する低域の成分との帯域分割をアンプ部の前段で行っていないので、高域の成分と低域の成分とでそれぞれレベル調整を行う必要がなくなり、ユーザの好みに応じた増幅処理をそれぞれの成分で行う必要がなくなる。また、スピーカーケーブルを１組だけ用意すればよいのでコストを低減することができるうえ、装置を小型化できる。さらに、高域と低域の中間の周波数付近の信号レベルを安定させることができる。このような結果、低音域スピーカと高音域スピーカとの位置関係に関わらず、コストの増大と装置の大型化を防ぎつつ、低域から高域までの音声をバランス良く再生することができる。
【図面の簡単な説明】
【００２６】
【図１】本発明の実施の形態１に係る音声再生装置の構成を示すブロック図である。
【図２】シェルビングフィルタの周波数特性を示すグラフである。
【図３】帯域分割回路部の回路構成を示す回路図である。
【図４】図４（Ａ）乃至図４（Ｃ）は、シェルビングフィルタの周波数特性の調整を説明するための図である。
【図５】本発明の実施の形態２に係る音声再生装置の構成を示すブロック図である。
【図６】調整部の調整処理のフローチャートである。
【図７】従来の第２の方法を実現するシステム（その１）の構成を示すブロック図である。
【図８】従来の第２の方法を実現するシステム（その２）の構成を示すブロック図である。
【図９】第２の方法を実現するシステムの周波数特性（その１）を示すグラフである。
【図１０】第２の方法を実現するシステムの周波数特性（その２）を示すグラフである。
【発明を実施するための形態】
【００２７】
本発明の実施の形態について、図面を参照して詳細に説明する。
【００２８】
（実施の形態１）
まず、本発明の実施の形態１について説明する。
【００２９】
図１には、本発明の実施の形態に係る音声再生装置１の構成が示されている。図１に示すように、音声再生装置１は、フィルタ処理部５０１と、アンプ部５０２と、スピーカーケーブル５０３と、帯域分割回路部５０４と、ツイータ５０５と、ウーファー５０６と、操作部５０７と、を備える。フィルタ処理部５０１と、アンプ部５０２と、操作部５０７は、オーディオ機器１０内に設けられている。操作部５０７は、オーディオ機器１０のユーザインターフェイスである。
【００３０】
音声再生装置１は、ツイータ５０５と、ウーファー５０６とにより、入力した音声信号に基づく音声を再生する。第１のスピーカとしてのツイータ５０５は、高域の音声を再生する。第２のスピーカとしてのウーファー５０６は、低域の音声を再生する。
【００３１】
フィルタ処理部５０１は、シェルビングフィルタを用いてフィルタ処理を行って入力した音声信号に含まれる高域の成分と低域の成分との間にレベル差を与える。すなわち、本実施の形態では、入力した音声信号について、その帯域を分割しさらに合成するのではなく、シェルビングフィルタを用いて補正を行う。シェルビングフィルタとは、ある周波数から上または下をまとめて持ち上げたり減衰させたりすることで棚のような段差を付けるフィルタである。
【００３２】
図２には、シェルビングフィルタの周波数特性が示されている。図２に示すように、シェルビングフィルタは、低域と高域とで、レベル差を有する周波数特性を実現する。このレベル差が、ツイータとウーファーの音量のレベル差となる。低域と高域とのレベル差は、調整可能となっている。すなわち、図２に示すように、低域の信号レベルに対して、高域の信号レベルを等しくすることもできるし、高くすることもできるし、低くすることもできる。操作部５０７は、シェルビングフィルタにおけるこのレベル差をユーザ操作により調整可能なユーザインターフェイスである。すなわち、レベル差は、ユーザの操作入力により調整可能である。
【００３３】
ここで、尖鋭度をＱとし、カットオフ周波数をｆ0、レベル差をGain、サンプリング周波数をｆsとし、伝達関数をＨzとすると、シェルビングフィルタの特性は、以下の式で表現される。
【００３４】
【数１】
2014053684.tif 000003
【００３５】
図１に戻り、アンプ部５０２は、フィルタ処理部５０１でレベル差が与えられた信号を増幅する。アンプ部５０２によってユーザの好みの音量に増幅される。この増幅された信号が、オーディオ機器１０の出力信号となる。
【００３６】
スピーカーケーブル５０３は、Ｈｏｔ（＋側）とＣｏｌｄ（−側）の２本１組のケーブルとなっている。
【００３７】
オーディオ機器から出力された信号は、１組のスピーカーケーブルを介して帯域分割回路部５０４に入力される。帯域分割回路部５０４は、アンプ部５０２で増幅された信号を高域の成分と低域の成分とに分割し、高域の成分の信号をツイータ５０５に出力するとともに、低域の成分の信号をウーファー５０６に出力する。
【００３８】
帯域分割回路部５０４には、図３に示すようなパッシブクロスオーバー回路が用いられるのが一般的である。このパッシブクロスオーバー回路では、Ｈｏｔ（＋側）において、ツイータ５０５側にコンデンサ５０が接続され、ウーファー５０６側にコイル５１が接続されている。この構成により、帯域分割回路部５０４は、ウーファー５０６に対しては、ローパスフィルタとして作用し、ツイータ５０５に対しては、ローパスフィルタと同じカットオフ周波数を有するハイパスフィルタとして作用する。
【００３９】
このカットオフ周波数は、ツイータ５０５の再生領域とウーファー５０６の再生領域とに基づいて決定されている。すなわち、本実施の形態では、スピーカーケーブル５０３にコンデンサ５０とコイル５１で構成された帯域分割回路部５０４によって帯域分割され高域の成分の信号をツイータ５０５に、低域の成分の信号をウーファー５０６に送るようになっている。
【００４０】
フィルタ処理部５０１では、ツイータの再生領域に対応する高域の成分の信号レベルを、図４（Ａ）に示すように、低域の成分の信号レベルに対して大きくすることもできるし、図４（Ｂ）に示すように、低域の成分の信号レベルに対して小さくすることもできる。低域と高域との間で信号レベルが変化する周波数をカットオフ周波数という。
【００４１】
フィルタ処理部５０１におけるシェルビングフィルタのカットオフ周波数は、帯域分割回路部５０４における低域と高域の分割の基準となる周波数と同じとする必要がある。そこで、フィルタ処理部５０１では、図４（Ｃ）に示すように、シェルビングフィルタのカットオフ周波数を調整可能である。この調整により、フィルタ処理部５０１での高域の周波数帯域が、ツイータの周波数帯域に一致するようになる。この調整は、操作部５０７を用いたユーザの操作入力により行われる。
【００４２】
以上詳細に説明したように、本実施の形態によれば、ツイータ５０５で再生する高域の成分と、ウーファー５０６で再生する低域の成分との帯域分割をアンプ部５０２の前段で行っていないので、高域の成分と低域の成分とでそれぞれレベル調整を行う必要がなくなり、ユーザの好みに応じた増幅処理を高域と低域とで個別に行う必要がなくなる。また、スピーカーケーブル５０３を１組だけ用意すればよいのでコストを低減することができるうえ、装置を小型化できる。さらに、高域と低域の中間の周波数付近の信号レベルを安定させることができる。この結果、コストの増大と装置の大型化を防ぎつつ、低音域スピーカと高音域スピーカとの位置関係に関わらず、低域から高域までの音声をバランス良く再生することができる。
【００４３】
本実施の形態では、ツイータ５０５とウーファー５０６の音量差をつけるために、シェルビングフィルタが用いられる。シェルビングフィルタは、帯域分割回路部５０４で分割した周波数と同じ周波数で変化する周波数特性を有する。また、シェルビングフィルタの周波数特性を変更でき、高域と中低域のレベル差を調整できる。
【００４４】
（実施の形態２）
次に、本発明の実施の形態２について説明する。
【００４５】
音声再生装置１が、車載機である場合、ウーファー５０６が乗員の足元にあり、ツイータ５０５がダッシュボードやＡピラーに設置されていることが多い。ツイータ５０５とウーファー５０６の音量が異なることが多いのは、このように、ツイータ５０５とウーファー５０６の設置位置が異なる場合である。この場合、シェルビングフィルタのカットオフ周波数ｆ0は、ツイータ５０５の再生帯域によって変化させる必要がある。
【００４６】
図５には、本実施の形態に係る音声再生装置１の構成が示されている。図５に示すように、本実施の形態に係る音声再生装置１は、操作部５０７が設けられておらず、マイク５１０と、調整部５１１とをさらに備える点が、上記実施の形態１に係る音声再生装置１の構成と異なる。
【００４７】
マイク５１０は、ビームフォーミングマイクや指向性マイクで音源の方向を認識できるものが用いられる。すなわち、マイク５１０は、集音した音源の方向を認識できる集音マイクである。なお、マイク５１０については、乗員の位置に近い場所に設置するのが望ましい。
【００４８】
調整部５１１は、マイク５１０で集音された音声に基づいて、低域の成分と高域の成分の音源の位置が異なるか否かを判別する。さらに、調整部５１１は、低域の成分と高域の成分の音源の位置が異なると判別された場合に、フィルタ処理を有効とする。ここで、フィルタ処理を有効にするとは、シェルビングフィルタにおいて高域と低域との間に信号のレベル差を与えることをいう。
【００４９】
調整部５１１は、コンピュータである。コンピュータのプロセッサが、メモリに格納されたプログラムを実行することにより、調整部５１１の機能が実現される。
【００５０】
調整部５１１は、スイープ信号を音声信号としてフィルタ処理部５０１に入力するとともに、マイク５１０で集音を行う。調整部５１１は、マイク５１０で集音される音声の音源の位置が変わった時点におけるスイープ信号の周波数を、シェルビングフィルタのカットオフ周波数として設定する。
【００５１】
また、調整部５１１は、スイープ信号を音声信号としてフィルタ処理部５０１に入力するとともに、マイク５１０で集音を行う。また、調整部５１１は、マイク５１０で集音される高域の成分と低域の成分とに基づいて、シェルビングフィルタにおけるレベル差を調整する。
【００５２】
図６には、調整部５１１において行われる調整処理が示されている。図６に示すように、まず、調整部５１１は、高域、低域を含む音声信号をフィルタ処理部５０１に出力してツイータ５０５及びウーファー５０６にその音声信号に基づく音声を再生させるとともに、それをマイク５１０で集音する（ステップＳ１）。
【００５３】
続いて、調整部５１１は、集音した音声のデータに基づいて、高域と低域とで、音源の位置が異なるか否かを判別する（ステップＳ２）。音源の位置が異ならない場合（ステップＳ２；Ｎｏ）、調整部５１１は、処理を終了する。
【００５４】
一方、音源の位置が異なる場合（ステップＳ２；Ｙｅｓ）、調整部５１１は、シェルビングフィルタの機能を有効に設定する（ステップＳ３）。
【００５５】
続いて、調整部５１１は、スイープ信号をフィルタ処理部５０１に出力してツイータ５０５及びウーファー５０６にそのスイープ信号に基づく音声の再生を開始するとともに、マイク５１０での集音を開始する（ステップＳ４）。
【００５６】
続いて、調整部５１１は、集音した音声データに基づいて、音源の位置が変わる周波数をカットオフ周波数としてフィルタ処理部５０１のシェルビングフィルタに設定する（ステップＳ５）。
【００５７】
続いて、調整部５１１は、集音した音声データに基づいて、高域と低域のレベル差を調整する（ステップＳ６）。
【００５８】
続いて、調整部５１１は、スイープ信号の入力を停止し、マイク５１０による集音を停止する（ステップＳ７）。その後調整部５１１は、処理を終了する。
【００５９】
以上詳細に説明したように、本実施の形態によれば、シェルビングフィルタのカットオフ周波数及びレベル差を自動的に調整できる。これにより、ユーザの負担を軽減することができる。
【００６０】
なお、上記実施の形態において、実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【００６１】
また、プログラムをインターネット等の通信ネットワーク上の所定のサーバ装置が有するディスク装置等に格納しておき、例えば、搬送波に重畳させて、ダウンロード等するようにしてもよい。
【００６２】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００６３】
なお、本発明は以上の実施の形態及び図面によって限定されるものではない。本発明の要旨を変更しない範囲で、適宜、実施の形態及び図面に変更（構成要素の削除も含む）を加えることが可能である。
【符号の説明】
【００６４】
１    音声再生装置
１０  オーディオ機器
５０  コンデンサ
５１  コイル
１０１    ＨＰＦ部
１０２    ＬＰＦ部
１０３    レベル調整処理部
１０４    アンプ部
１０５    ツイータスピーカーケーブル
１０６    ツイータ
１０７    ウーファースピーカーケーブル
１０８    ウーファー
２０１    ＨＰＦ部
２０２    ＬＰＦ部
２０３    レベル調整処理部
２０４    帯域合成処理部
２０５    アンプ部
２０６    スピーカーケーブル
２０７    帯域分割回路部
２０８    ツイータ
２０９    ウーファー
５０１    フィルタ処理部
５０２    アンプ部
５０３    スピーカーケーブル
５０４    帯域分割回路部
５０５    ツイータ
５０６    ウーファー
５１０    マイク
５１１    調整部
【図１】
2014053684.tif 000004
【図２】
2014053684.tif 000005
【図３】
2014053684.tif 000006
【図４】
2014053684.tif 000007
【図５】
2014053684.tif 000008
【図６】
2014053684.tif 000009
【図７】
2014053684.tif 000010
【図８】
2014053684.tif 000011
【図９】
2014053684.tif 000012
【図１０】
2014053684.tif 000013